(57)【要約】【課題】ピボット蝶番において、扉の位置調整作業を容易に実施できるようにするとともに、その構成をシンプルかつ堅牢にして、低コストかつメンテナンス容易にする。【解決手段】上向きのピボット軸が立設された扉上側の軸金具とそのピボット軸が嵌挿する扉枠体上側の受け金具とが互いに軸着してなる上側蝶番、および上向きの枢着軸が立設された扉枠体下側の軸金具とその枢着軸が嵌挿する扉下側受け金具とが互いに軸着してなる下側蝶番、からなるピボット蝶番において、扉上側軸金具２Ｂの軸部材２１ｂおよび扉下側受け金具１Ａの受け穴部材１１ａを、それぞれ扉面に沿う左右調整ネジ２４，１４で貫通させ左右方向に調節可能に配置することで、扉の閉状態で扉取り付け位置を左右方向に調整できるようにする。【選択図】        図３
2004270197.tif 000002
【特許請求の範囲】
【請求項１】
上向きのピボット軸が立設された軸部材を有し扉の上側に取り付けられる上側軸金具と前記上側軸金具のピボット軸が嵌挿する受け穴を有し扉枠体の上側に配置される上側受け金具とが前記扉枠体前方の持ち出し位置において互いに軸着してなる上側蝶番、および上向きの枢着軸が立設され扉枠体の下側に配置される下側軸金具と前記下側軸金具の枢着軸が嵌挿する受け穴が形成された受け穴部材を有し扉の下側に取り付けられる下側受け金具とが前記扉枠体前方の持ち出し位置において互いに軸着してなる下側蝶番、からなるピボット蝶番において、前記上側蝶番の軸部材および前記下側蝶番の受け穴部材がそれぞれ扉面に沿う左右調整ネジにより左右方向に調節可能に配置されており、前記扉の閉状態において扉取り付け位置を左右方向に調整可能とされていることを特徴とするピボット蝶番。
【請求項２】
前記上下の蝶番における左右調整ネジは、それぞれ前記軸部材または前記受け穴部材を各々左右に貫通して各金具内で支持するものとされている、請求項１記載のピボット蝶番。
【請求項３】
前記下側受け金具は、内周にネジ溝が刻設された受け穴が前記受け穴部材の下面から上面に貫通し、当該受け穴に螺装された上下調整ネジを回転させることにより当該上下調整ネジの下面である頂壁が上下に移動可能とされている、請求項１または２記載のピボット蝶番。
【請求項４】
前記上側受け金具および前記下側軸金具は、それぞれ取付板を有し、当該取付板には前記扉が閉状態での前記扉枠における扉前面位置を表示する目印または端線がそれぞれ設けられ、前記扉が閉状態での前記扉前面位置を扉装着の際に把握可能とした、請求項１，２または３記載のピボット蝶番。
【請求項５】
前記上側受け金具と前記下側軸金具の取付板には、孔が扉前後方向に拡大された複数のネジ孔がそれぞれ設けられ、扉の前後位置の調整を可能とした請求項４記載のピボット蝶番。
【発明の詳細な説明】
【０００１】
【発明の属する技術分野】
本発明は、間口や仕切部において、枢着軸を扉枠体前方に持ち出した位置で支持して大きな開度で開閉可能に扉を扉枠に取り付ける、所謂ピボット蝶番に関する。
【０００２】
【従来の技術】
間口や仕切部において大きな開度で扉を開閉させる目的で、扉枠に扉を軸着・支持するピボット蝶番が従来から多用されている。殊に、扉を閉状態から１８０度まで開いた状態を可能とするため、軸部材と受け穴部材とが係合した蝶番軸位置が扉の前方に持ち出されたタイプのものが多用されている。
【０００３】
このようなピボット蝶番は、扉の取り付け時または取り付け後において扉位置の調整を行う必要が生じた場合に、扉枠に扉を取り付けた状態で扉の位置調整を行うのが容易ではなかった。例えば、扉枠に対するズレ・傾斜等は扉を閉めた状態でないとこれを把握することができない。しかし、位置調整手段は蝶番に付帯した取付板のネジ止めに設けられているのが通常で、扉を閉めた状態においてこれが隠れてしまうことから、扉のズレ・傾斜を目視しながら調整を実施することは極めて困難である。
【０００４】
一方、近年アルミ製扉が普及しているが、これを取り付ける場合においては扉枠の蝶番金具が装着された扉枠が現場で先に取り付けられ、後日の仕上げ作業において扉の蝶番金具が装着された扉を搬入して扉枠に取り付けることが多い。この場合、工場では扉枠と扉との軸着状態における位置関係が合致していても、現場で扉枠を取り付ける際に微妙な歪みが生じ、後日の扉取り付け作業において、扉と扉枠との位置関係が合致しないことがある。通常、仕上げ作業は最小限の人数で行うことが多いが、現場で重量のある扉を支えて調整を加えながらこれを取り付けるのは容易ではない。また、上述の扉位置調整は、取り付け時ばかりでなく、取り付け後の使用によりズレ・狂いが生じた場合も必要となるが、重い扉を支える蝶番の調整を一人で行うのは非常に困難なものである。
【０００５】
これに対し、特開２００２―２４２５１４号公報には、突出方向に付勢されたピボットを備えて扉に装着する軸金具（扉金具）と、扉枠に装着する受け金具（扉枠金具）とからなるピボット蝶番において、左右方向に位置調整可能な差し込みブロックが担持されたケーシングを軸金具の基部に有し、これを扉に埋め込むことにより調節ネジで扉の左右方向の位置調整を可能とするとともに、下側軸金具のピボットの基端周囲に設けたナット部材を回転させることにより、扉の上下位置の調整をも行えるようにしたピボット蝶番が提案されている。
【０００６】
このピボット蝶番は、扉位置を３次元方向に調整できるばかりか、扉の閉状態においても上下位置の調整を可能として、扉の位置調整作業を比較的容易としたものである。しかし、このピボット蝶番においても、扉の左右方向の調整を扉の閉状態で行うことができないとともに、高さ調整もピボット基部のナット部材をレンチで回転させて行う必要があって、調整作業に手間がかかる。さらに、軸金具を扉に装着するには、差し込みブロックを担持したケーシングを扉に埋め込む作業が必要となり、施工手順が多く労力を要するものである。特に、近年普及しているアルミ製扉に適用する場合、専用に設計されたアルミ扉にしか適用できないという問題もある。
【０００７】
一方、特開平９−２０９６４１号公報において、ピボット蝶番の軸位置を扉の閉状態においても３次元方向に調整可能として、現場で容易に扉位置調整を行えるようにした技術が提案されている。この技術は、下側軸金具に取り付ける軸部材において、２つの調整ネジにより枢着軸を水平面上で２方向（ｘ，ｙ方向）に移動させることができるとともに、下側受け金具の受け穴部材に設けた調整ネジにより上下方向（ｚ方向）にも調整できるようにして、扉取り付け後でも扉位置の調整を容易に行えるようにしたものである。
【０００８】
しかしながら、扉の重量を支える軸部材には堅牢さが要求されるとともに、扉を扉枠に堅固に支持して軸位置が揺動しないことが要求されるところ、このピボット蝶番における軸部の枢着軸は２つの調整ネジにより互いに略直角方向から各々リングを介して支持されて、水平位置を調整されるようになっている。したがって、各調整ネジを軸部枠体に揺動可能に取り付ける必要があって軸位置の固定力が弱いため、軸位置が揺動して扉取り付け位置の狂いが生じやすいという問題がある。また、このピボット蝶番は多数の微少部品により複雑に構成されているため、製造コストも高くなるとともに、堅牢さに欠けて故障・破損しやすくメンテナンスに手間を要するという問題もある。
【０００９】
【発明が解決しようとする課題】
本発明は、上記のような問題点を解決しようとするものであり、ピボット蝶番において、扉の位置調整作業を容易に実施できるようにするとともに、その構成をシンプルかつ堅牢にして、低コストかつメンテナンス容易にすることを課題とするものである。
【００１０】
【課題を解決するための手段】
そこで、本発明は、上向きのピボット軸が立設された軸部材を有し扉の上側に取り付けられる上側軸金具と前記上側軸金具のピボット軸が嵌挿する受け穴を有し扉枠体の上側に配置される上側受け金具とが前記扉枠体前方の持ち出し位置において互いに軸着してなる上側蝶番、および上向きの枢着軸が立設され扉枠体の下側に配置される下側軸金具と前記下側軸金具の枢着軸が嵌挿する受け穴が形成された受け穴部材を有し扉の下側に取り付けられる下側受け金具とが前記扉枠体前方の持ち出し位置において互いに軸着してなる下側蝶番、からなるピボット蝶番において、前記上側蝶番の軸部材および前記下側蝶番の受け穴部材がそれぞれ扉面に沿う左右調整ネジにより左右方向に調節可能に配置されており、前記扉の閉状態において扉取り付け位置が左右方向に調整可能とされていることを特徴とするピボット蝶番とした。
【００１１】
これにより、前記扉枠上側および下側の前方に持ち出された両蝶番の左右調整ネジを回転させるだけで扉の左右位置の調整をおこなえるとともに扉の閉状態で扉位置のズレを目視しながら調整できる。加えて、作業者が重い扉を支える必要がなくなったため、調整作業が極めて容易となる。殊に、下側受け金具において受け穴部材を備え、これを左右に移動可能とするとともに、下側軸金具の枢着軸を固定して扉枠体側に装着したことにより、大きな重量と力がかかる下側軸金具の構成を単純かつ堅牢な構造にすることができる。したがって、軸位置の狂いや破損が少なくなるとともに製作コストが低廉となり、修理などのメンテナンスの手間も少なくなる。尚、本発明において扉枠体とは、取り付ける扉に対応して専用に制作された枠体のみならず、扉設置位置における間口の構成体（壁・床など）も含むものとする。加えて、上下２箇所で左右位置を調整する際に、上下の移動幅を互いに異なるようにすれば、扉の左右傾きを調整できることはいうまでもない。
【００１２】
また、上記各発明において前記上下の蝶番における左右調整ネジを、それぞれ前記軸部材または前記受け穴部材を各々左右に貫通して各金具内で支持するものとすれば、左右位置調整機構の構成がより堅牢となって、前記軸部材または前記受け穴部材における係合がさらに堅固となる。そして、その調整作業はドライバでネジを回転させるだけの容易なものとなる。
【００１３】
さらに、上記各発明において前記下側受け金具を、内周にネジ溝が刻設された受け穴が前記受け穴部材の下面から上面に貫通するようにして、当該受け穴に螺装された上下調整ネジを回転させることにより当該上下調整ネジの下面である頂壁が上下に移動可能とすれば、上下調整ネジを上方向からドライバで回転させるだけで、軸部材の枢着軸が挿入された下側受け金具の高さを、上下に調整することができるため、扉閉状態でも左右方向に加えて上下方向の扉位置調整作業も容易に実施することができる。
【００１４】
さらにまた、上記各発明において、前記上側受け金具および前記下側軸金具にそれぞれ取付板を設け、前記扉枠体に対する前記扉が閉状態における前面位置を表示する目印または端線を前記取付板にそれぞれ設ければ、前記目印または端線位置が前記扉枠体における閉状態の前記扉の前面位置を示すことになるため、斯かる扉の前面位置を扉の装着時に把握できる。したがって、扉枠体における精密な扉前面位置を予め決定して扉を取り付けることができるようになる。また、このことにより取り付け後の扉の前後位置の調整も最小限で済むようになる。
【００１５】
加えて、前記扉の前面位置が扉の装着時に把握できる発明において、前記上側受け金具と前記下側軸金具の取付板に、孔が扉前後方向に拡大された複数のネジ孔をそれぞれ設け、扉の前後位置の調整を可能とすれば、ネジを緩めた状態において拡大されたネジ孔の範囲で取付板を前後に移動させることができるため、扉前後方向についても扉閉状態で位置調整を行えるようになる。尚、上下２箇所における前後調整幅を互いに異なるように移動させれば、扉の前後傾斜も調整することができることはいうまでもない。
【００１６】
【発明の実施の形態】
次に、本発明の実施の形態について、図面を用いながら以下に詳細に説明する。
尚、本発明においては、上下の蝶番が持ち出される方向、即ち、扉が大きく拡開する方向を扉前方としている。
【００１７】
図１および図２は、本発明の実施の形態を示すものであり、図１に示すように下側受け金具１Ａは、扉４０の下側において本体１ａが扉４０の前方に持ち出された状態で取り付けられ、下側軸金具２Ａは扉枠体５０の下側（床面）において枢着軸２１ａが垂直に固定された軸部材２２ｂを前方に持ち出された状態で取り付けられる。そして、両金具が係合して下側蝶番を形成し、扉４０および扉枠体５０の下側前方に蝶番軸が持ち出された状態で扉４０を扉枠体５０に支持・軸着する。
【００１８】
一方、上側軸金具２Ｂは、図２に示すように扉４０の上側において本体２ａが扉４０の前方に持ち出された状態で取り付けられ、上側受け金具１Ｂは扉枠体５０の上側（鴨居側）において、受け穴部材１１ｂが前方に持ち出された状態で取り付けられる。そして、両金具が係合して上側蝶番を形成し、扉４０および扉枠体５０の上側前方に蝶番軸が持ち出された状態で扉４０を扉枠体５０に支持・軸着する。そして、この形状の異なる４つの金具からなる上下の蝶番により、本実施の形態であるピボット蝶番１が構成される。
【００１９】
先ず、扉４０の下端側に装着する下側受け金具１Ａおよび扉枠体５０の下側に装着する下側軸金具２Ａについて、図１及び図３を用いて詳細に説明する。
下側受け金具１Ａは、前述したように取付板１２ａにより扉４０の下側前方に本体１ａが持ち出された状態で支持・固定される（図１）が、取付板１２ａは一部が本体１ａの基端側下辺部分に付設された平板からなり、ネジ孔１３ａ，１３ａを備えてネジ３０，３０により扉４０の下端面に装着される。
【００２０】
図３の（Ａ）は下側受け金具１Ａの横断面図を示し、図３の（Ｂ）は図１のＸ−Ｘ線に沿う縦断面図を示すものである。下側受け金具１Ａの本体１ａは、平面視で基端側がほぼ方形で先端側が円形であって、底面のない箱形の部材である。また、内部には受け穴部材１１ａを備えているとともに上面にネジ窓１６を備え、左側面には左右調整ネジ１４が頭部１４ａを露出して配置される凹部１７を備えている。尚、左右調整ネジ１４は先端が本体１ａの右側面まで貫通しているが、その先端部１４ｂは、挿通する孔の径より大きく拡大され左右調整ネジ１４が本体１ａから抜けないようになっている。
【００２１】
受け穴部材１１ａの形状は、本体１ａの外形より小さくこれに近似しており、本体１ａ内部において所定幅で左右に移動できるようになっている。また、受け穴部材１１ａは、左右調整ネジ１４が噛合するネジ山を備えた調整ネジ孔１１ｃが基端側に設けられ、左右調整ネジ１４の回転により左右にスライドさせられるようになっている。また、受け穴部材１１ａはその先端側において受け穴１８が上下に貫通して設けられており、受け穴１８の上部を上下調整ネジ１５が塞ぐとともに、これが受け穴１８内壁のネジ山と噛合して上下に移動できるようになっている。即ち、上下調整ネジ１５の下面が受け穴１８の頂壁をなすとともに、後述する軸２１ａの先端がこれに当接し、これを回転・移動させることで扉４０の上下位置の調整がおこなわれる。
【００２２】
一方、下側軸金具２Ａは、前述の下側受け金具１Ａの本体１ａの平面形状に近似した平板状の部材からなっている（図１）。また、その先端部は枢着軸２１ａが上向きに突設された軸部材２２ｂを構成し、その基端部は扉前後方向に孔が拡大された形状の３つのネジ孔２３ａ，２３ａ，２３ａを備えて取付板２２ａを構成している。そして、下側軸金具２Ａはネジ３０，３０，３０により扉枠体５０下側（床面）に堅固に固定される。このように、扉４０の重量のほぼ総てを支える枢着軸２１ａが扉枠体５０に堅固に固定されるため、受け穴部材１１ａとで構成する蝶番軸に狂いが生じる心配は極めて少ない。尚、下側軸金具２Ａの基端線は、扉４０の前面が当接する下側受け金具１Ａの本体１ａ基端面に合わせてあり、取り付け後において扉４０の閉状態における前面位置に一致するため、扉取り付け時における扉４０前面の位置決めを容易としている。
【００２３】
次に、扉４０の上側に装着する上側軸金具２Ｂおよび扉枠体５０の上側（鴨居側）に装着する上側受け金具１Ｂについて、図２及び図４を用いて以下に詳細に説明する。
上側軸金具２Ｂの構成は、図２に示すように前述の下側受け金具１Ａの構成とほぼ同様であるが、内部において支持される軸部材２１ｂが下側受け金具１Ａの受け穴部材１１ａと異なる。上側軸金具２Ｂは、その本体２ａが取付板２２ｂにより扉４０の上側前面に持ち出された状態で支持・固定される。取付板２２ｂは一部が本体２ａの基端面上辺に付設された平板からなり、ネジ孔２３ｂ，２３ｂを備えてネジ３０，３０により扉４０の上端面に固定される。
【００２４】
図４の（Ａ）は上側軸金具２Ｂの横断面図を示しており、図４の（Ｂ）は図２のＹ−Ｙ線に沿う縦断面図を示している。軸部材２１ｂは、前述の下側受け金具１Ａの受け穴部材１１ａとほぼ同様の構成である。即ち、軸部材２１ｂは基端側において左右調整ネジ２４が調整ネジ孔２１ｃを左右方向に水平に貫通・噛合して、本体２ａ内で左右に移動可能に支持されている。しかし、先端側に設けられた貫通孔２８には枢着軸２５が上下に挿通されて上側に先端を突出させている点が異なる。枢着軸２５はほぼ円柱状で、先端側（上側）約半分が大径部２５ａをなすとともに基端側（下側）約半分が小径部２５ｂをなし、基端にフランジ２５ｃを有している。そして、貫通孔２８は枢着軸２５の大径部２５ａを挿入・摺動できる内径を有しているが、その下側開口部は小径部２５ｂが摺動可能なだけの内径に狭小化されている。そして、貫通孔２８の内部にバネ２９を備えて枢着軸２５が上下に摺動可能かつ上方向に付勢された状態で支持されている。
【００２５】
一方、上側受け金具１Ｂは、前述の下側軸金具２Ａの基端側を延長した形状を有して、取付板１２ｂにより扉枠体５０上側（鴨居側）に装着される（図２）。取付板１２ｂは扉前後方向に拡大されたネジ孔１３ｂ，１３ｂ，１３ｂ，１３ｂを備え、ネジ３０，３０，３０，３０により上側受け金具１Ｂを扉枠体５０前方に持ち出した状態で扉枠体５０に固定させる。上側受け金具１Ｂの空中に持ち出されている部分は、上側軸金具２Ｂの本体部２ａの平面形状とほぼ共通し、その先端側が受け穴部材１１ｂを構成している。受け穴部材１１ｂはその下面側中央に枢着軸２５の大径部２５ａが挿入できる受け穴を備えている。尚、上側受け金具１Ｂの下面ほぼ中央位置には、取付後において閉状態で扉４０の前面位置を示す目印（図示しない矢印）が設けられている。
【００２６】
次に、本実施の形態のピボット蝶番１の扱い手順および作用について説明する。
先ず、扉枠体５０（ここでは間口の敷居・鴨居・壁等、壁部材と床面から構成される部分）側において、下側軸金具２Ａを敷居側（床面）に、上側受け金具１Ｂを鴨居側に装着する。この際、下側軸金具２Ａの基端線及び上側受け金具１Ｂの目印を、扉４０の前面位置にしたい位置に合わせる。本実施の形態では、間口の壁面と扉４０とが扉の閉状態で面一になるようにするため、壁面の延長線に合わせるようにして、所定数のネジ３０で各々固定する。尚、この段階では仮止め状態として、後で扉４０を前後から押すことにより両金具を前後に動かして微調整できるようにしてもよい。
【００２７】
一方、扉４０側においては、右寄りの下端面に下側受け金具１Ａの取付板１２ａを当接させ、上端面に上側軸金具２Ｂの取付板２２ｂを当接させて、それぞれ所定数のネジ３０で堅固に固定する。この際、両金具の本体基端面（垂直面）を扉４０の前面に当接させるようにする。これにより、上記の扉枠体５０において想定した位置に扉４０の閉状態における前面位置が一致するようになる。
【００２８】
扉に両金具１Ａ、２Ｂが装着されたら、扉４０を立てて扉枠体５０に近接させ、扉４０の前面をやや前傾させながら、先に下側受け金具１Ａを下側軸金具２Ａに枢着軸２１ａを介して係合させて下側蝶番を形成する。次に、上側軸金具２Ｂの底面に露出している枢着軸２５のフランジ２５ｃを指でつまんで、バネ２９の付勢力に抗して下方向に引き下げながら、上側受け金具１Ｂの受け穴位置に枢着軸２５の先端が合致する位置まで移動させ、フランジ２５ｃを離して枢着軸２５の大径部２５ａを受け穴部材１１ｂの受け穴に突出・挿入させる。このように、上側軸金具２Ｂの枢着軸２５が容易に上下動するため、取り付けが極めて容易になる。そして、扉４０はこの状態において、４つの異なる金具からなるピボット蝶番１により、開閉自在に扉枠体５０に軸着された状態となる。
【００２９】
扉４０が扉枠体５０に取り付けられた後、閉状態において扉枠体５０に対する左右位置が僅かにずれているとともに左右に傾斜しており、かつ、高さ位置も合致していないとする。この場合、下側受け金具１Ａの左側凹部１７にネジ頭１４を露出した左右調整ネジ１４と、上側軸金具２Ｂの左側凹部２７にネジ頭２４ａを露出した左右調整ネジ２４とを、それぞれドライバで回転させて左右位置の調整を行う。その際、扉４０が左右に傾斜しているので、上下の左右移動幅を異なるようにして扉４０が水平になるまで傾斜を調整する。次に、下側受け金具１Ａにおいて、ネジ窓１６内に頭部が露出している上下調整ネジ１５をドライバで回転させて高さ調整を行う。このように、位置調整手段を備えた各金具本体が扉前方に持ち出されて固定されているので扉閉状態でも容易に調整することができ、各調整ネジが回転させられることで扉４０が扉枠体５０に対し左右および上下に移動されて、位置調整作業が実施される。
【００３０】
本実施の形態のピボット蝶番１は上述したような構成であるから、扉４０を扉枠体５０に取り付けた状態において作業者が重い扉を支える必要もなく、しかも各方向のズレを確認しやすい扉の閉状態のままそれぞれ調整を行えるようになっているため、扉の位置調整が極めて容易となる。また、取り付け後のメンテナンスにおいても同様であるから、例え一人でも調整作業を容易に行うことができる。
【００３１】
さらに、構成する各金具の構造が単純であるため製作コストが低廉になるのに加えて、重量と力のかかる下側軸金具の枢着軸を固定して不動とするとともに、これに係合する下側受け金具の受け穴部材を左右に調整可能としたことで、蝶番自体の耐久性および軸位置の安定性が確保される。さらに加えて、調整機構を備えた各金具は、各調整ネジが金具内部の調整部材を左右に貫通した堅牢な構造を有しているため、故障が少なくメンテナンスの手間もかからないものとなる。
【００３２】
また、本実施の形態において、扉枠体５０への両金具の固定を仮留めにしておいて扉４０が前後に動くようにしておけば、扉４０を閉状態にしてこれを調整した後、開状態にしてネジを固定するようにすれば、扉前後方向の調整も容易となる。
【００３３】
尚、本発明を実施するための最良の形態は以上の説明で十分に示したが、本発明はこれらに限定されるものではない。例えば、本発明は建物の間口における扉に限らず、例えば、機械における開口部を開閉する部材などにおいても実施することができる。また、扉枠が扉と対をなして設計・製作されるアルミ扉においても同様に実施することができる。
【００３４】
【発明の効果】
以上述べたように、本発明であるピボット蝶番により、扉の位置調整を容易に実施できるようなった。また、その構成はシンプルかつ堅牢となり、製作コストも低廉でメンテナンスも容易となる。
【図面の簡単な説明】
【図１】本発明の実施の形態における下側蝶番を構成する金具の斜視図。
【図２】本発明の実施の形態における上側蝶番を構成する金具の斜視図。
【図３】（Ａ）は、図１における下側受け金具１Ａの横断面図であり、（Ｂ）は、図１における下側受け金具１ＡのＸ−Ｘ線に沿う断面図。
【図４】（Ａ）は、図２における上側軸金具２Ｂの横断面図であり、（Ｂ）は、図１における上側軸金具２ＢのＹ−Ｙ線に沿う断面図。
【符号の説明】
１  ピボット蝶番、１Ａ  下側受け金具、１Ｂ  上側受け金具、１ａ，２ａ  本体、２Ａ  下側軸金具、２Ｂ  上側軸金具、１１ａ，１１ｂ  受け穴部材、１１ｃ，２１ｃ  調整ネジ孔、１２ａ，１２ｂ，２２ａ、２２ｂ  取付板、１３ａ，１３ｂ，２３ａ，２３ｂ  ネジ孔、１４、２４  左右調整ネジ、１４ａ，２４ａ  ネジ頭、１４ｂ，２４ｂ  抜け止め、１５  上下調整ネジ、１６、２６  ネジ窓、１７，１７ｂ  凹部、１８  受け穴，２１ａ，２５  枢着軸、２１ｂ，２２ｂ  軸部材、２５ａ  大径部、２５ｂ  小径部、２５ｃ  フランジ、１８，２８  貫通孔、２９  バネ、３０  ネジ、４０  扉、５０  扉枠体
【図１】
2004270197.tif 000003
【図２】
2004270197.tif 000004
【図３】
2004270197.tif 000005
【図４】
2004270197.tif 000006